(57)【特許請求の範囲】
【請求項１】
液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、
前記第１端部の近傍の前記表面シート側に設けられる第１係合部と、
前記第２端部の近傍の前記裏面層側に設けられ前記第１係合部に係合可能な第２係合部と、
前記第２端部の近傍の前記表面シート側に配置される滑り止め部材と、
前記第１端部の近傍の前記裏面層側に設けられ、前記滑り止め部材に係合可能な第３係合部と、を備え、
前記第１係合部は、複数のフック部を有するフック部材により構成され、
前記滑り止め部材は、前記第１係合部を構成するフック部材と同じ部材により構成され、
前記裏面層は、前記フック部材に係合可能な不織布を含んで構成され、
前記第２係合部及び前記第３係合部は、前記裏面層を構成する不織布により構成されるペット用吸収性物品。
【請求項２】
前記第１端部の近傍の前記表面シート側における前記第１係合部よりも前記第２端部側に配置される補助滑り止め部材を更に備える請求項１に記載のペット用吸収性物品。
【請求項３】
請求項１又は２に記載のペット用吸収性物品の製造方法であって、
帯状の表面シートと帯状の裏面層との間に、長手方向に所定間隔をあけて吸収体を配置して吸収性物品本体の連続体を形成する連続体形成工程と、
前記吸収性物品本体の連続体における前記帯状の表面シート側に、長手方向に所定間隔をあけてフック部材を配置するフック部材配置工程と、
前記吸収性物品本体の連続体における前記フック部材が配置された位置において、該吸収性物品本体の連続体を幅方向に切断する切断工程と、を備えるペット用吸収性物品の製造方法。
【請求項４】
前記フック部材配置工程において、前記フック部材は、前記吸収性物品本体の連続体における前記吸収体が配置されていない領域に配置される請求項３に記載のペット用吸収性物品の製造方法。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、帯状に構成されると共に、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【先行技術文献】
【特許文献】
【０００５】
【特許文献１】特開２００７−２０５３３号公報
【発明の概要】
【発明が解決しようとする課題】
【０００６】
しかしながら、ペットの胴回りに巻きつけて装着するペット用吸収性物品は、装着後のペットの動きによって回転してしまったり、ペットが排泄した尿等の重みにより重心の位置が変わることで回転してしまったりする場合があった。このように、装着後にペット用吸収性物品が回転してしまうと、ペット用吸収性物品における尿等の吸収性に優れた位置と尿道口の位置とがずれてしまい、排泄された尿等を適切に吸収できなくなってしまう。
【０００７】
従って、本発明は、ペットの胴回りに装着した後に回転しにくいペット用吸収性物品を提供することを目的とする。
【課題を解決するための手段】
【０００８】
本発明は、液透過性の表面シート、液不透過性の裏面層及び該表面シート及び該裏面層の間に配置される吸収体を備えると共に、互いに対向する第１端部及び第２端部と、該第１端部及び該第２端部に直交し互いに対向する一対の側部と、を有して矩形形状に構成され、ペットの胴回りに巻きつけられて装着されるペット用吸収性物品であって、前記第１端部の近傍の前記表面シート側に設けられる第１係合部と、前記第２端部の近傍の前記裏面層側に設けられ前記第１係合部に係合可能な第２係合部と、前記第２端部の近傍の前記表面シート側に配置される滑り止め部材と、を備えるペット用吸収性物品に関する。
【０００９】
また、前記第１係合部は、複数のフック部を有するフック部材により構成され、前記第２係合部は、前記フック部材に係合可能なループ材により構成されることが好ましい。
【００１０】
また、前記滑り止め部材は、前記第１係合部を構成するフック部材と同じ部材により構成されることが好ましい。
【００１１】
また、ペット用吸収性物品は、前記第１端部の近傍の前記裏面層側に設けられ、前記滑り止め部材に係合可能な第３係合部を更に備えることが好ましい。
【００１２】
また、前記裏面層は、前記フック部材に係合可能な不織布を含んで構成され、前記第２係合部及び前記第３係合部は、前記裏面層を構成する不織布により構成されることが好ましい。
【００１３】
また、ペット用吸収性物品は、前記第１端部の近傍の前記表面シート側における前記第１係合部よりも前記第２端部側に配置される補助滑り止め部材を更に備えることが好ましい。
【００１４】
また、本発明は、ペット用吸収性物品の製造方法であって、帯状の表面シートと帯状の裏面層との間に、長手方向に所定間隔をあけて吸収体を配置して吸収性物品本体の連続体を形成する連続体形成工程と、前記吸収性物品本体の連続体における前記帯状の表面シート側に、長手方向に所定間隔をあけてフック部材を配置するフック部材配置工程と、前記吸収性物品の連続体における前記フック部材が配置された位置において、該吸収性物品の連続体を幅方向に切断する切断工程と、を備えるペット用吸収性物品の製造方法に関する。
【００１５】
また、前記フック部材配置工程において、前記フック部材は、前記吸収性物品の連続体における前記吸収体が配置されていない領域に配置されることが好ましい。
【発明の効果】
【００１６】
本発明のペット用吸収性物品によれば、ペットの胴回りに装着した後に回転しにくい。
【図面の簡単な説明】
【００１７】
【図１】本発明の第１実施形態に係るペット用吸収性物品を示す斜視図である。
【図２】第１実施形態のペット用吸収性物品を表面シート側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】第１実施形態のペット用吸収性物品をペットに装着する過程を示す図であり、第２端部側をペットの背中に位置させた状態を示す図である。
【図８】第１実施形態のペット用吸収性物品をペットの胴回りに装着した状態を示す図である。
【図９Ａ】第１実施形態のペット用吸収性物品の製造方法における連続体形成工程を模式的に示す平面図である。
【図９Ｂ】第１実施形態のペット用吸収性物品の製造方法におけるフック部材配置工程を模式的に示す平面図である。
【図９Ｃ】第１実施形態のペット用吸収性物品の製造方法における切断工程を模式的に示す平面図である。
【図１０】第２実施形態のペット用吸収性物品を表面シート側から視た平面図である。
【図１１】第２実施形態のペット用吸収性物品を裏面層側から視た平面図である。
【図１２】第３実施形態のペット用吸収性物品を表面シート側から視た平面図である。
【図１３】図１２のＤ−Ｄ線断面図である。
【図１４】第４実施形態のペット用吸収性物品を表面シート側から視た平面図である。
【図１５Ａ】突起部材の第１変形例を示す図である。
【図１５Ｂ】突起部材の第２変形例を示す図である。
【発明を実施するための形態】
【００１８】
以下、本発明のペット用吸収性物品の好ましい各実施形態について、図面を参照しながら説明する。まず、第１実施形態のペット用吸収性物品１について、図１〜図６を参照しながら説明する。
【００１９】
第１実施形態のペット用吸収性物品１は、図１〜図３に示すように、互いに対向する第１端部１１及び第２端部１２と、これら第１端部１１及び第２端部１２に直交し互いに対向する一対の側部１７と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００２０】
ペット用吸収性物品１は、図１〜図６に示すように、液透過性の表面シート２と、液不透過性の裏面層３を構成する裏面シート３１及び防水シート３２と、吸収体４と、一対のサイドシート５と、第１弾性部材６１及び第２弾性部材６２と、第１係合部７と、第２係合部８と、滑り止め部材９１と、第３係合部９２と、を備える。
【００２１】
表面シート２は、矩形形状に構成される。表面シート２は、主として、装着対象のペットの身体に当接する側の面を構成する。表面シート２としては、有孔又は無孔の不織布や多孔性プラスティックシートを用いることができる。
【００２２】
裏面シート３１は、図３〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。第１実施形態では、裏面シート３１は、後述のフック部材に係合可能な不織布により構成される。
【００２３】
吸収体４は、図５に示すように、重ね合わせられた表面シート２及び裏面層３の間に介在配置される。吸収体４は、図２及び図３に示すように、表面シート２及び裏面シート３１よりも幅が狭く、かつ、長さの短い矩形形状に構成される。吸収体４は、平面視において、表面シート２及び裏面シート３１の幅方向の略中央部に、長手方向の一端側から他端側に亘って配置される。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００２４】
一対のサイドシート５は、図２に示すように、細長い矩形形状に構成され、表面シート２の長手方向に沿う側部の身体側にそれぞれ配置される。一対のサイドシート５の長さは、表面シート２及び裏面シート３１の長さと略等しく構成される。一対のサイドシート５の外側縁は、図４及び図５に示すように、裏面シート３１の側縁の位置と一致している。一対のサイドシート５の外側縁側は、裏面シート３１の側部に接合されている。
【００２５】
一対のサイドシート５の内側縁の一部は、図１及び図５に示すように、自由端となっている。より具体的には、一対のサイドシート５の内側縁は、図４及び図６に示すように、ペット用吸収性物品１の長手方向ＬＤの一端側に位置する第１端部１１近傍、及び他端側に位置する第２端部１２近傍において、表面シート２に接合されている。そして、一対のサイドシート５の内側縁は、図１及び図５に示すように、一対のサイドシート５における長手方向ＬＤの一端部及び他端部を除く部分において、自由端となっている。
【００２６】
サイドシート５としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。
【００２７】
第１弾性部材６１は、図１〜図３に示すように、一対のサイドシート５それぞれの内側縁近傍に配置される。より具体的には、第１弾性部材６１は、図５に示すように、内側縁側で折り返されたサイドシート５の間に挟まれると共に、ホットメルト接着剤により伸長状態でサイドシート５に固定される。第１弾性部材６１は、図２及び図３に示すように、伸長状態において、吸収体４の長手方向の長さと略同じ長さで一対のサイドシート５に配置される。
【００２８】
第２弾性部材６２は、図１〜図３に示すように、ペット用吸収性物品１の長手方向ＬＤに沿う一対の側部１７それぞれに配置される。より具体的には、第２弾性部材６２は、図５に示すように、一対のサイドシート５と裏面シート３１との間に配置される。また、第２弾性部材６２は、伸長状態で、ホットメルト接着剤により、サイドシート５及び裏面シート３１に固定される。
第２弾性部材６２は、伸長状態において、吸収体４の長手方向の長さと略同じ長さでペット用吸収性物品１の長手方向ＬＤに沿う一対の側部１７それぞれに配置される。
【００２９】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３０】
第１係合部７は、図１〜図３に示すように、第１端部１１の近傍の内面（表面シート２側の面）に配置される。
尚、本明細書において、第１端部１１の近傍とは、第１端部１１から、ペット用吸収性物品１の長手方向ＬＤの長さの３０％程度の長さの範囲を示す。また、後述の第２端部１２の近傍とは、第２端部１２から、ペット用吸収性物品１の長手方向ＬＤの長さの３０％程度の長さの範囲を示す。
第１実施形態では、第１係合部７は、矩形形状のフック部材により構成される。このフック部材は、長手方向がペット用吸収性物品１の幅方向ＷＤに沿うように配置されて、第１端部１１の内面に接合される。より具体的には、図２及び図４に示すように、フック部材は、長手方向における中央領域が表面シート２に接合され、長手方向の一端側及び他端側がサイドシート５に接合される。
【００３１】
第１係合部７を構成するフック部材の長手方向の長さＷ１は、吸収体４の幅Ｗ２よりも長く構成される。このフック部材の長手方向の長さＷ１は、ペット用吸収性物品１をペットに装着する場合の第１端部１１と第２端部１２との係合力を好適に得る観点から、ペット用吸収性物品１の幅方向ＷＤの長さＷ３の３０％〜８０％であることが好ましく、４５％〜７０％であることがより好ましい。
【００３２】
フック部材は、図４に示すように、矩形形状の基部７３と、この基部７１の一方の面に設けられる複数のフック部７２と、を備える。
フック部材は、ポリプロピレン等の合成樹脂材により基部７１及び複数のフック部７２が一体的に形成される。
【００３３】
第２係合部８は、図１〜図３に示すように、第２端部１２の近傍の外面（裏面層３側）に設けられる。第１実施形態では、第２係合部８は、フック部材に係合可能なループ材により構成される。このループ材は、図１及び図２に示すように、帯状に構成され、ループ材の長手方向がペット用吸収性物品１の幅方向ＷＤに沿うように配置される。ループ材の長手方向における長さ（ペット用吸収性物品１の幅方向ＷＤに沿う方向における長さ）Ｗ４は、第１係合部７を構成するフック部材の長さＷ１よりも長く構成される。また、ループ材の幅方向における長さ（ペット用吸収性物品１の長手方向ＬＤに沿う方向における長さ）Ｌ２は、第１係合部７を構成するフック部材の長さＬ１よりも長く構成される。
【００３４】
ループ材は、図６に示すように、帯状の基部８１と、この基部８１の一方の面に設けられる複数のループ部８２と、を備える。ループ材は、複数のループ部８２が形成された面がペット用吸収性物品１の外面となるように、裏面シート３１に取り付けられる。
ループ材は、ポリエステル等の合成樹脂材により基部８１及び複数のループ部８２が一体的に形成される。
【００３５】
滑り止め部材９１は、図１〜図３に示すように、第２端部１２の近傍の内面（表面シート２側）に配置される。この滑り止め部材９１は、ペット用吸収性物品１をペットの胴回りに装着した後に、このペット用吸収性物品１が胴回り方向に回転することを防ぐ（詳細は後述する）。滑り止め部材９１は、ペットの胴回りに装着した場合に、ペットの体毛に食い込んで胴回り方向へのペット用吸収性物品１の回転を好適に防ぐ観点から、複数の突起状の部材を備えて構成されることが好ましい。
【００３６】
第１実施形態では、滑り止め部材９１は、第１係合部７を構成するフック部材と同じ部材により構成される。また、滑り止め部材９１の長さ及び幅は、第１係合部７を構成するフック部材の長さＷ１及び幅Ｌ１と同じ大きさに構成される。滑り止め部材９１は、複数のフック部７２が設けられた面がペット用吸収性物品１の内面となるように、表面シート２及び一対のサイドシート５に取り付けられる。
【００３７】
第３係合部９２は、図１及び図３に示すように、第１端部１１の近傍の外面（裏面層３側）に設けられる。第１実施形態では、第３係合部９２は、第１端部１１の近傍に配置された滑り止め部材９１を構成するフック部材に係合可能な裏面シート３１により構成される。
【００３８】
以上のペット用吸収性物品１は、第１弾性部材６１がペット用吸収性物品１の長手方向ＬＤに沿って伸長状態で一対のサイドシート５に固定されている。また、第２弾性部材６２がペット用吸収性物品１の長手方向ＬＤに沿って伸長状態でサイドシート５と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部１７に、長手方向ＬＤに伸縮可能な一対の胴回りギャザー部１３が形成される（図１参照）。また、一対のサイドシート５における自由端側が立ち上がり、一対のサイドシート５の内面と表面シート２の外面との間に、それぞれ、ポケット部１４，１５が形成される（図５参照）。
【００３９】
次に、第１実施形態のペット用吸収性物品１をペットに取り付ける手順について、図７及び図８を参照しながら説明する。図７及び図８は、第１実施形態のペット用吸収性物品１をペットに装着する過程を示す図であり、図７は、第２端部１２をペットの背中に位置させた状態を示す図であり、図８は、ペット用吸収性物品１をペットの胴回りに装着した状態を示す図である。
【００４０】
まず、図７に示すように、ペット用吸収性物品１の第２端部１２をペットの背中に位置させて、この第２端部１２の近傍を装着者の片方の手で押さえる。次いで、第２端部１２の近傍を片方の手で押さえたまま、ペット用吸収性物品１の第１端部１１を他方の手で持って、ペット用吸収性物品１をペットの腹側を覆うように巻きつける。
【００４１】
次いで、ペット用吸収性物品１の第１端部１１を引っ張って、一対の胴回りギャザー部１３をペットの胴回りと密着させる。
次いで、図８に示すように、ペット用吸収性物品の第１端部１１の内面（表面シート２側の面）に配置されたフック部材（第１係合部）７を第２端部１２の外面（裏面シート３１側の面）に設けられたループ材（第２係合部）８に係合させる。これにより、ペット用吸収性物品１がペットの胴回りに巻きつけられる。
【００４２】
ここで、第２端部１２の近傍の内面側には、複数のフック部７２を備えるフック部材（滑り止め部材９１）が配置されている。そのため、ペット用吸収性物品１をペットの胴回りに巻きつけたときに、滑り止め部材９１における複数のフック部７２がペットの背中に生えている体毛に食い込む。これにより、ペット用吸収性物品１をペットに装着した後に、ペットが動き回ったり、ペットが排泄した尿等の重みにより重心の位置が変わったりした場合であっても、ペット用吸収性物品１は、装着した位置から胴回り方向に回転しにくい。
【００４３】
また、第１実施形態では、滑り止め部材９１を、第１係合部７を構成するフック部材と同じ部材により構成し、また、第１端部１１の外面側に、フック部材に係合可能な第３係合部９２を設けた。これにより、ペット用吸収性物品１を装着する場合に、第２端部１２ではなく、第１端部１１をペットの背中に位置させても、ペット用吸収性物品１を、ペットに装着させられる。
【００４４】
次に、第１実施形態のペット用吸収性物品１の製造方法について、図９Ａ〜図９Ｃを参照しながら説明する。図９Ａ〜図９Ｃは、ペット用吸収性物品１の製造方法におけるそれぞれの工程の平面図を示す。
【００４５】
本発明のペット用吸収性物品１の製造方法は、連続体形成工程Ｓ１と、フック部材配置工程Ｓ２と、切断工程Ｓ３と、を備える。
【００４６】
連続体形成工程Ｓ１では、ペット用吸収性物品本体の連続体１００が形成される。より具体的には、連続体形成工程Ｓ１では、図９Ａに示すように、帯状の表面シート２００と帯状の裏面層３００との間に、長手方向に所定間隔をあけて吸収体４が配置される。また、帯状の表面シート２００の一対の側部１７に、それぞれ、帯状のサイドシート５００が配置される。
【００４７】
フック部材配置工程Ｓ２では、図９Ｂに示すように、ペット用吸収性物品本体の連続体１００における帯状の表面シート２００側に、長手方向に所定間隔をあけてフック部材７００が配置される。このフック部材７００は、ペット用吸収性物品本体の連続体１００における吸収体４が配置されていない領域に配置される。また、フック部材配置工程Ｓ２では、ペット用吸収性物品本体の連続体１００における帯状の裏面層３００側に、ループ材８が配置される。ループ材８は、フック部材７００を、ペット用吸収性物品本体の連続体１００の流れ方向に二等分した場合における一方に重なるように配置される。
【００４８】
切断工程Ｓ３では、図９Ｃに示すように、フック部材配置工程Ｓ２においてフック部材７００及びループ材８が配置されたペット用吸収性物品本体の連続体１００が、長手方向に所定間隔をあけて幅方向に切断される。より具体的には、切断工程Ｓ３では、ペット用吸収性物品本体の連続体１００が、フック部材７００を流れ方向に二等分する位置において切断される。これにより、二等分されたフック部材７００の一方により第１係合部７が形成され、二等分されたフック部材７００の他方により滑り止め部材９１が形成された第１実施形態のペット用吸収性物品１が製造される。
【００４９】
以上説明した第１実施形態のペット用吸収性物品１及びペット用吸収性物品１の製造方法によれば、以下のような作用効果を奏する。
【００５０】
（１）ペット用吸収性物品１を、第１端部１１の近傍の表面シート２側に設けられる第１係合部７と、第２端部１２の近傍の裏面層３側に設けられる第２係合部８と、第２端部１２の近傍の表面シート２側に配置される滑り止め部材９１と、を含んで構成した。これにより、ペット用吸収性物品１をペットの胴回りに巻きつけたときに、滑り止め部材９１がペットの背中に密着して、装着後のペット用吸収性物品１が胴回り方向に回転することを規制する。よって、ペット用吸収性物品１をペットに装着した後に、ペットが動き回ったり、ペットが排泄した尿等の重みにより重心の位置が変わったりした場合においても、ペット用吸収性物品１が装着した位置から胴回り方向に回転しにくい。
【００５１】
（２）第１係合部７をフック部材により構成し、第２係合部８をループ材８により構成した。これにより、裏面層３のフック部材に対する係合力に依存することなく、裏面層３を構成する素材を選択できるので、裏面層３を構成する素材の選択の自由度を向上できる。
【００５２】
（３）滑り止め部材９１を、第１係合部７を構成するフック部材と同じ部材により構成した。これにより、第１係合部７を構成するフック部材と同じ部材を利用して滑り止め部材９１を構成できる。よって、ペット用吸収性物品１を構成する部材の点数を増やすことなく、滑り止め部材９１を備えるペット用吸収性物品を製造できる。
【００５３】
（４）ペット用吸収性物品１を、第１端部１１の近傍の裏面層３側に設けられ滑り止め部材９１に係合可能な第３係合部９２を含んで構成した。これにより、滑り止め部材９１と第３係合部９２とを係合させることによっても、ペット用吸収性物品１をペットの胴回りに巻きつけて装着させられる。よって、ペット用吸収性物品１を装着する場合に、第２端部１２ではなく、第１端部１１をペットの背中に位置させても、ペット用吸収性物品１を、ペットに装着させられる。また、この場合、第１係合部７を、滑り止め部材として機能させられる。
【００５４】
（５）ペット用吸収性物品１を、ペット用吸収性物品の連続体１００におけるフック部材７００が配置された位置において、このペット用吸収性物品の連続体１００を幅方向に切断する切断工程Ｓ３を含む製造方法により製造した。これにより、フック部材配置工程Ｓ２で配置したフック部材７００を切断工程Ｓ３において切断することで、第１係合部７及び滑り止め部材９１を備えるペット用吸収性物品１を簡易に製造できる。よって、ペット用吸収性物品１の製造効率を向上できる。
【００５５】
次に、本発明の第２実施形態に係るペット用吸収性物品１について、図１０及び図１１を参照しながら説明する。図１０は、第２実施形態のペット用吸収性物品１を表面シート２側から視た平面図である。図１１は、第２実施形態のペット用吸収性物品１を裏面層３側から視た平面図である。
尚、第２実施形態以降の説明にあたって、同一構成要件については同一符号を付し、その説明を省略もしくは簡略化する。
【００５６】
第２実施形態のペット用吸収性物品１Ａは、主として、第２係合部材８Ａの構成、及び滑り止め部材９１Ａの構成において、第１実施形態と異なる。
第２実施形態では、第２係合部材８Ａは、図１０及び図１１に示すように、裏面層３を構成する不織布である裏面シート３１により構成される。また、滑り止め部材９１Ａの幅（ペット用吸収性物品１Ａの長手方向ＬＤに沿う方向における長さ）Ｌ３は、第１係合部７を構成するフック部材の幅（ペット用吸収性物品１Ａの長手方向ＬＤに沿う方向における長さ）Ｌ１よりも長く構成される。言い換えれば、第２実施形態では、滑り止め部材９１Ａの面積は、第１係合部７の面積よりも広く構成される。
【００５７】
（６）滑り止め部材９１Ａの幅Ｌ３を、第１係合部７の幅Ｌ１よりも長く構成した。これにより、滑り止め部材９１Ａの面積を第１係合部７よりも広く構成できるので、滑り止め部材９１Ａによるペット用吸収性物品１Ａの回転防止効果をより向上できる。
【００５８】
（７）裏面層３を、フック部材に係合可能な不織布により構成される裏面シート３１を含んで構成し、この裏面シート３１により第２係合部８及び第３係合部９２を構成した。これにより、フック部材に係合可能な部材を別途配置することなく、第１係合部７又は滑り止め部材９１を、第２係合部８又は第３係合部９２に係合させられるので、ペット用吸収性物品１の製造に係る部材の点数を削減できる。
【００５９】
次に、本発明の第３実施形態に係るペット用吸収性物品１Ｂについて、図１２及び図１３を参照しながら説明する。図１２は、第３実施形態のペット用吸収性物品１Ｂを表面シート側から視た平面図であり、図１３は、図１２のＤ−Ｄ線断面図である。
第３実施形態のペット用吸収性物品１は、滑り止め部材９１Ｂの構成において第１実施形態と異なる。
【００６０】
第３実施形態では、滑り止め部材９１Ｂは、図１２及び図１３に示すように、矩形形状の基部９１１Ｂと、この基部９１１Ｂの一方の面に設けられる複数の突起部材９１２Ｂとを備える。複数の突起部材９１２Ｂは、軸部９１３Ｂと、この軸部９１３Ｂの先端部に設けられ、軸部９１３Ｂの直径よりも大きな径を有する拡径部９１４Ｂと、を備える。複数の突起部材９１２Ｂは、図１３に示すように、先端側が第１端部１１側に向かって傾斜して設けられる。また、複数の突起部材９１２Ｂそれぞれにおける拡径部９１４Ｂの先端部は、丸みを帯びた形状となっている。複数の突起部材９１２Ｂそれぞれの長さＨ１は、ペットの体毛に対する食い込み性を高める観点から、好ましくは１５０μｍ〜１０００μｍ、より好ましくは２５０μｍ〜５００μｍである。
第３実施形態のペット用吸収性物品１によれば、上述の（１）、（２）、（４）、（５）の作用効果を奏する他、以下のような作用効果を奏する。
【００６１】
（８）滑り止め部材９１Ｂを、複数の突起部材９１２Ｂの先端側を第１端部１１側に向かって傾斜させて構成した。これにより、滑り止め部材９１Ｂをペットの身体に当接させてペット用吸収性物品１Ｂをペットの胴回りに巻きつけた場合に、複数の突起部材９１２Ｂをペットの体毛に好適に食い込ませられる。よって、滑り止め部材９１２Ｂによるペット用吸収性物品１の回転防止効果をより向上できる。
【００６２】
（９）複数の突起部材９１２Ｂを、軸部９１３Ｂと、この軸部９１３Ｂの先端部に設けられる拡径部９１４Ｂと、を含んで構成し、この拡径部９１４Ｂの先端部を、丸みを帯びさせて構成した。これにより、ペット用吸収性物品１Ｂをペットに装着した場合に、複数の突起部材９１２Ｂがペットの身体に与える刺激を低減できるので、滑り止め部材９１Ｂによりペットの身体を傷つけにくくできる。
【００６３】
次に、本発明の第４実施形態に係るペット用吸収性物品１Ｃについて、図１４を参照しながら説明する。図１４は、第３実施形態のペット用吸収性物品１Ｃを表面シート側から視た平面図である。
第３実施形態のペット用吸収性物品１Ｃは、補助滑り止め部材９３を具備する点で、第１実施形態と異なる。
補助滑り止め部材９３は、図１４に示すように、第１端部１１の近傍の表面シート２側における第１係合部７よりも第２端部１２側に配置される。この補助滑り止め部材９３は、第１係合部７及び滑り止め部材９１を構成するフック部材と同じ部材により構成される。
【００６４】
第４実施形態のペット用吸収性物品１Ｃによれば、上述の（１）〜（５）の作用効果を奏する他、以下のような作用効果を奏する。
【００６５】
（１０）ペット用吸収性物品１Ｃを、補助滑り止め部材９３を含んで構成した。これにより、滑り止め部材９１が配置された第２端部１２側だけでなく、第１端部１１側においても、装着後のペット用吸収性物品１Ｃが胴回り方向に回転することを規制できる。よって、ペット用吸収性物品１を、装着した位置から胴回り方向により回転しにくくできる。
【００６６】
以上、本発明の好ましい各実施形態について説明したが、本発明は、上述した各実施形態に制限されるものではなく、適宜変更が可能である。
【００６７】
例えば、上述した各実施形態では、裏面層３を、裏面シート３１及び防水シート３２の２層により構成したが、これに限らない。即ち、裏面層を、裏面シート又は防水シートのみにより構成してもよい。
【００６８】
また、第１実施形態、第２実施形態及び第４実施形態では、滑り止め部材９１を、フック部材により構成したが、これに限らない。即ち、滑り止め部材を、粘着材やゴム等の摩擦係数の大きな部材により構成してもよい。
【００６９】
また、第１実施形態〜第４実施形態では、第１係合部７をフック部材により構成し、第２係合部８をループ材又はフック部材に係合可能な裏面シート３１により構成したが、これに限らない。即ち、第２係合部をフック部材により構成し、第１係合部をループ材又はフック部材に係合可能な表面シート及びサイドシートにより構成してもよい。
【００７０】
また、第３実施形態では、複数の突起部材９１２Ｂを、軸部９１３Ｂと拡径部９１４Ｂとを含んで構成したが、これに限らない。即ち、図１５Ａに示すように、複数の突起部材９１２Ｄを、拡径部を含まずに構成し、軸部の先端側を屈曲させて構成してもよく、また、図１５Ｂに示すように、複数の突起部９１２Ｅを、軸部の先端側を分岐させ、かつ、屈曲させて構成してもよい。
【符号の説明】
【００７１】
１  ペット用吸収性物品
２  表面シート
３  裏面層
４  吸収体
５  サイドシート
７  第１係合部（フック部材）
８  第２係合部（ループ材）
１１  第１端部
１２  第２端部
１７  側部
３１  裏面シート
３２  防水シート
７１  基部
７２  フック部
９１  滑り止め部材（フック部材）
９２  第３係合部
９３  補助滑り止め部材
Ｓ１  連続体形成工程
Ｓ２  フック部材配置工程
Ｓ３  切断工程
【図１】
0005917860.tif 000002
【図２】
0005917860.tif 000003
【図３】
0005917860.tif 000004
【図４】
0005917860.tif 000005
【図５】
0005917860.tif 000006
【図６】
0005917860.tif 000007
【図７】
0005917860.tif 000008
【図８】
0005917860.tif 000009
【図９Ａ】
0005917860.tif 000010
【図９Ｂ】
0005917860.tif 000011
【図９Ｃ】
0005917860.tif 000012
【図１０】
0005917860.tif 000013
【図１１】
0005917860.tif 000014
【図１２】
0005917860.tif 000015
【図１３】
0005917860.tif 000016
【図１４】
0005917860.tif 000017
【図１５Ａ】
0005917860.tif 000018
【図１５Ｂ】
0005917860.tif 000019